(57)【要約】【課題】簡単な構成で、複数の使用者が同時に資料の表示方向を変えることができる卓上表示システムを提供する。【解決手段】携帯端末装置（１）とテーブルトップ装置（２）とを備える。上記携帯端末装置（１）は、記憶部（１５）と送信部（１１）と方位検出部（１２）と方位指示手段（１６ａ）とを有する。上記テーブルトップ装置（２）は、受信部（２１）と記憶部（２５）と表示部（２３）と特定資料検索手段（２６ａ）と資料方向変更手段（２６ｂ）とを有する【選択図】図１
2014075100.tif 000002
【特許請求の範囲】
【請求項１】
資料および自身のＩＤを記憶する記憶部と、
上記記憶部に記憶されている上記資料および上記ＩＤを送信する送信部と
を有する携帯端末装置と、
上記携帯端末装置から送信された上記資料および上記ＩＤを受信する受信部と、
上記受信部により受信された上記資料および上記ＩＤを対応して記憶する記憶部と、
上記受信部により受信された上記資料を表示する表示部と
を有するテーブルトップ装置と
を備え、
上記携帯端末装置は、
上記携帯端末装置の予め定められた設定面がどの方位を向いているかを検出する方位検出部と、
上記方位検出部により検出された上記設定面の向く方位に、上記テーブルトップ装置の上記表示部に表示されている上記資料の向きを合わせるように、上記テーブルトップ装置に指示する指示信号を、上記ＩＤと共に、上記テーブルトップ装置に送信する方位指示手段と
を有し、
上記テーブルトップ装置は、
上記方位指示手段により送信された上記指示信号を受信すると、上記指示信号と共に送信された上記ＩＤに基づいて、このＩＤに対応した特定の上記資料を、上記記憶部から検索する特定資料検索手段と、
上記特定資料検索手段により検索され上記表示部に表示されている上記特定の資料の向きを、上記指示信号に基づいて、上記設定面の向く方位に合わせる資料方向変更手段と
を有することを特徴とする卓上表示システム。
【請求項２】
請求項１に記載の卓上表示システムにおいて、
上記テーブルトップ装置は、
上記記憶部に記憶されている上記資料の向きを変更不可と設定するための資料方向設定手段と、
上記資料方向設定手段により変更不可と設定された上記資料について、上記指示信号を受信しても、この資料の向きを変更しない資料方向変更不可手段と
を有することを特徴とする卓上表示システム。
【請求項３】
携帯端末装置は、この携帯端末装置の予め定められた設定面がどの方位を向いているかを、検出する方位検出工程と、
上記携帯端末装置は、上記検出された設定面の向く方位に、テーブルトップ装置に表示されている資料の向きを合わせるように、上記テーブルトップ装置に指示する指示信号を、自身のＩＤと共に、上記テーブルトップ装置に送信する方位指示工程と、
上記テーブルトップ装置は、上記指示信号を受信すると、上記テーブルトップ装置は、上記指示信号と共に送信された上記ＩＤに基づいて、このＩＤに対応した特定の資料を、検索する特定資料検索工程と、
上記テーブルトップ装置は、上記検索された特定の資料の向きを、上記指示信号に基づいて、上記設定面の向く方位に合わせる資料方向変更工程と
を備えることを特徴とする卓上表示方法。
【請求項４】
携帯端末装置のコンピュータを、
請求項１における上記記憶部、上記送信部、上記方位検出部および上記方位指示手段として機能させ、
テーブルトップ装置のコンピュータを、
請求項１における上記受信部、上記記憶部、上記表示部、上記特定資料検索手段および上記資料方向変更手段として機能させることを特徴とする卓上表示プログラム。
【請求項５】
請求項４に記載の卓上表示プログラムが記録されたことを特徴とするコンピュータ読出し可能なプログラム記録媒体。
【発明の詳細な説明】
【技術分野】
【０００１】
この発明は、例えば、会議や打合せ等に用いられる卓上表示システム、卓上表示方法、卓上表示プログラムおよびプログラム記録媒体に関する。
【背景技術】
【０００２】
従来、会議や打ち合わせなどに用いられる卓上表示システムとしては、複数人で利用するテーブル上に、複数の資料を表示するものがある。この資料の表示方向を、テーブルの周囲の参加者が読みやすい向きに変更したい場合、一般的にはテーブル上の資料をタッチパネルやマウスを操作して回転していた。
【０００３】
その他の方法としては、テーブルの周囲の参加者の位置を記憶して、その参加者に資料を正対したり（特開２０００−２３６３２９号公報（特許文献１））、テーブル上に置かれた物理的オブジェクトを認識しこれを物理的に回転することで、対応する仮想オブジェクト（つまり、資料）を回転していた（特開２００７−３１０６８３号公報（特許文献２））。
【０００４】
しかしながら、マウス操作の場合、複数の資料を同時に操作することが困難であった。また、タッチパネル操作の場合、操作する全員のタッチ数を認識できる解像度のタッチパネルが必要となり、テーブルのサイズに応じて、高価で複雑になる問題があった。
【０００５】
また、テーブルの周囲の参加者の位置を記憶する場合、参加者の移動に追随できないか、または、参加者の位置をセンサやタッチパネルで更新するため、参加者全員のタッチ数を認識できるセンサやタッチパネルが必要となって、高価で複雑になる問題があった。
【０００６】
また、テーブル上の物理的オブジェクトを使用する場合、表示している資料（仮想オブジェクト）に対応する物理的オブジェクトを、別途、用意する必要があった。
【先行技術文献】
【特許文献】
【０００７】
【特許文献１】特開２０００−２３６３２９号公報
【特許文献２】特開２００７−３１０６８３号公報
【発明の概要】
【発明が解決しようとする課題】
【０００８】
そこで、この発明の課題は、簡単な構成で、複数の使用者が同時に資料の表示方向を変えることができる卓上表示システム、卓上表示方法、卓上表示プログラムおよびプログラム記録媒体を提供することにある。
【課題を解決するための手段】
【０００９】
上記課題を解決するため、この発明の卓上表示システムは、
資料および自身のＩＤ（identification；識別符号）を記憶する記憶部と、
上記記憶部に記憶されている上記資料および上記ＩＤを送信する送信部と
を有する携帯端末装置と、
上記携帯端末装置から送信された上記資料および上記ＩＤを受信する受信部と、
上記受信部により受信された上記資料および上記ＩＤを対応して記憶する記憶部と、
上記受信部により受信された上記資料を表示する表示部と
を有するテーブルトップ装置と
を備え、
上記携帯端末装置は、
上記携帯端末装置の予め定められた設定面がどの方位を向いているかを検出する方位検出部と、
上記方位検出部により検出された上記設定面の向く方位に、上記テーブルトップ装置の上記表示部に表示されている上記資料の向きを合わせるように、上記テーブルトップ装置に指示する指示信号を、上記ＩＤと共に、上記テーブルトップ装置に送信する方位指示手段と
を有し、
上記テーブルトップ装置は、
上記方位指示手段により送信された上記指示信号を受信すると、上記指示信号と共に送信された上記ＩＤに基づいて、このＩＤに対応した特定の上記資料を、上記記憶部から検索する特定資料検索手段と、
上記特定資料検索手段により検索され上記表示部に表示されている上記特定の資料の向きを、上記指示信号に基づいて、上記設定面の向く方位に合わせる資料方向変更手段と
を有することを特徴としている。
【００１０】
この発明の卓上表示システムによれば、使用者は、上記テーブルトップ装置に表示されている資料を、第三者に見てもらいたい場合、使用者は、上記携帯端末装置の設定面を第三者に向ける。すると、携帯端末装置の方位検出部は、上記設定面の方位を検出し、携帯端末装置の方位指示手段は、指示信号をＩＤと共にテーブルトップ装置に送信する。
【００１１】
そして、上記テーブルトップ装置の特定資料検索手段は、上記指示信号を受信すると、指示信号と共に送信されたＩＤに基づいて、このＩＤに対応した特定の資料を検索する。その後、テーブルトップ装置の資料方向変更手段は、上記指示信号に基づいて、上記特定の資料の向きを、上記設定面の向く方位に合わせる。
【００１２】
このように、上記携帯端末装置の設定面を、資料を見てもらいたい第三者へ向ける操作により、テーブルトップ装置上の資料を、その人から見やすい方向に変更し、直感的に操作することが可能になる。
【００１３】
そして、複数の使用者が、複数の携帯端末装置を操作する場合、各携帯端末装置のＩＤに基づいて、各携帯端末装置の資料の向きを、各携帯端末装置の方位に合わせることができる。このように、資料を提示した複数の使用者は、それぞれ同時に、資料の表示方向を変えることができる。
【００１４】
また、一実施形態の卓上表示システムでは、
上記テーブルトップ装置は、
上記記憶部に記憶されている上記資料の向きを変更不可と設定するための資料方向設定手段と、
上記資料方向設定手段により変更不可と設定された上記資料について、上記指示信号を受信しても、この資料の向きを変更しない資料方向変更不可手段と
を有する。
【００１５】
この実施形態の卓上表示システムによれば、使用者は、上記テーブルトップ装置に表示されている資料の向きを変更したくない場合、携帯端末装置を介して、または、テーブルトップ装置に対して直接に、テーブルトップ装置の資料方向設定手段により、資料の向きを変更不可と設定する。
【００１６】
すると、上記テーブルトップ装置の資料方向変更不可手段は、上記変更不可と設定された上記資料について、上記指示信号を受信しても、この資料の向きを変更しない。
【００１７】
この発明の卓上表示方法は、
携帯端末装置は、この携帯端末装置の予め定められた設定面がどの方位を向いているかを、検出する方位検出工程と、
上記携帯端末装置は、上記検出された設定面の向く方位に、テーブルトップ装置に表示されている資料の向きを合わせるように、上記テーブルトップ装置に指示する指示信号を、自身のＩＤと共に、上記テーブルトップ装置に送信する方位指示工程と、
上記テーブルトップ装置は、上記指示信号を受信すると、上記テーブルトップ装置は、上記指示信号と共に送信された上記ＩＤに基づいて、このＩＤに対応した特定の資料を、検索する特定資料検索工程と、
上記テーブルトップ装置は、上記検索された特定の資料の向きを、上記指示信号に基づいて、上記設定面の向く方位に合わせる資料方向変更工程と
を備えることを特徴としている。
【００１８】
この発明の卓上表示方法によれば、使用者は、上記テーブルトップ装置に表示されている資料を、第三者に見てもらいたい場合、使用者は、上記携帯端末装置の設定面を第三者に向ける。すると、携帯端末装置は、上記設定面の方位を検出して、指示信号をＩＤと共にテーブルトップ装置に送信する。
【００１９】
そして、上記テーブルトップ装置は、上記指示信号を受信すると、指示信号と共に送信されたＩＤに基づいて、このＩＤに対応した特定の資料を検索する。その後、テーブルトップ装置は、上記指示信号に基づいて、上記特定の資料の向きを、上記設定面の向く方位に合わせる。
【００２０】
このように、上記携帯端末装置の設定面を、資料を見てもらいたい第三者へ向ける操作により、テーブルトップ装置上の資料が、その人から見やすい方向に変更し、直感的に操作することが可能になる。
【００２１】
そして、複数の使用者が、複数の携帯端末装置を操作する場合、各携帯端末装置のＩＤに基づいて、各携帯端末装置の資料の向きを、各携帯端末装置の方位に合わせることができる。このように、資料を提示した複数の使用者は、それぞれ同時に、資料の表示方向を変えることができる。
【００２２】
また、一実施形態の卓上表示プログラムでは、
携帯端末装置のコンピュータを、
上記記憶部、上記送信部、上記方位検出部および上記方位指示手段として機能させ、
テーブルトップ装置のコンピュータを、
上記受信部、上記記憶部、上記表示部、上記特定資料検索手段および上記資料方向変更手段として機能させる。
【００２３】
また、一実施形態のプログラム記録媒体では、上記卓上表示プログラムが記録されている。
【００２４】
この実施形態の卓上表示プログラムおよびプログラム記録媒体によれば、コンピュータに対して、複数の使用者が同時に資料の表示方向を変えることができるように、コンピュータに命令できる。
【発明の効果】
【００２５】
この発明の卓上表示システムによれば、上記携帯端末装置は、上記方位検出部と上記方位指示手段とを有し、上記テーブルトップ装置は、上記特定資料検索手段と上記資料方向変更手段とを有するので、簡単な構成で、複数の使用者が同時に資料の表示方向を変えることができる。
【００２６】
この発明の卓上表示方法によれば、上記方位検出工程、上記方位指示工程、上記特定資料検索工程および上記資料方向変更工程を備えるので、簡単な構成で、複数の使用者が同時に資料の表示方向を変えることができる。
【図面の簡単な説明】
【００２７】
【図１】本発明の卓上表示システムを示す簡略構成図である。
【図２Ａ】携帯端末装置の動作を示すフローチャートである。
【図２Ｂ】テーブルトップ装置の動作を示すフローチャートである。
【図３Ａ】携帯端末装置の動作を示すフローチャートである。
【図３Ｂ】テーブルトップ装置の動作を示すフローチャートである。
【図４Ａ】卓上表示システムの動作を示す説明図である。
【図４Ｂ】卓上表示システムの動作を示す説明図である。
【図５】資料テーブルを示す説明図である。
【発明を実施するための形態】
【００２８】
以下、この発明を図示の実施の形態により詳細に説明する。
【００２９】
図１は、この発明の一実施形態の卓上表示システムを示す簡略構成図である。図１に示すように、この卓上表示システムは、例えば、会議や打合せ等に用いられ、携帯端末装置１とテーブルトップ装置２とを有する。携帯端末装置１とテーブルトップ装置２は、中継機器３を介して、通信可能となる。通信手段は、無線または有線である。
【００３０】
上記携帯端末装置１は、例えば、ノートパソコンやスマートフォンなどであり、送信部１１、方位検出部１２、表示部１３、入力部１４、記憶部１５、および、制御部としてのＣＰＵ１６を有する。
【００３１】
上記送信部１１は、上記中継機器３を介して、テーブルトップ装置２に信号を送信する。なお、図示しないが、受信部を設けて、テーブルトップ装置２から信号を受信するようにしてもよい。
【００３２】
上記表示部１３は、表示画面を有し、各種情報を表示する。上記入力部１４は、例えば、テンキーやタッチパネルであり、ＣＰＵ１６への命令や記憶部１５への書込などを行うことができる。
【００３３】
上記方位検出部１２は、上記表示部１３の表示画面がどの方位を向いているかを検出する。方位検出部１２としては、例えば、地磁気センサや加速度センサを用いる。
【００３４】
上記記憶部１５は、資料１５１と、自身のＩＤ（identification；識別符号）（以下、端末ＩＤといい、符号１５２で示す）とを、記憶する。上記資料１５１は、会議や打ち合わせなどに用いられるものであり、使用者により予め作成される。上記端末ＩＤ１５２は、携帯端末装置１を識別する固有のものである。
【００３５】
上記ＣＰＵ１６は、方位検出部１２、表示部１３、入力部１４、記憶部１５等から信号を受け、種々の演算処理を行って、送信部１１、表示部１３、記憶部１５等に信号を出力する。
【００３６】
上記テーブルトップ装置２は、例えば、テーブル形状であり、受信部２１、表示部２３、記憶部２５、および、制御部としてのＣＰＵ２６を有する。
【００３７】
上記受信部２１は、上記中継機器３を介して、携帯端末装置１から信号を受信する。例えば、受信部２１は、携帯端末装置１の資料１５１および端末ＩＤ１５２を受信する。なお、図示しないが、送信部を設けて、携帯端末装置１へ信号を送信するようにしてもよい。
【００３８】
上記表示部２３は、表示画面を有し、各種情報を表示する。この表示画面は、テーブル上面の略全体を占め、水平面に配置される。
【００３９】
上記記憶部２５は、資料２５１と資料テーブル２５２とを、記憶する。上記資料２５１は、携帯端末装置１から送信された資料１５１を含む。つまり、携帯端末装置１が複数ある場合、記憶部２５に記憶される資料２５１は、それぞれの携帯端末装置１から送信された資料からなる。この資料２５１は、表示部２３の表示画面に、表示される。
【００４０】
上記資料テーブル２５２は、携帯端末装置１の資料１５１および端末ＩＤ１５２を対応した表である。つまり、携帯端末装置１が複数ある場合、資料テーブル２５２は、各携帯端末装置１の資料１５１を、各携帯端末装置１の端末ＩＤ１５２に対応させた表である。
【００４１】
上記ＣＰＵ２６は、受信部２１、表示部２３、記憶部２５等から信号を受け、種々の演算処理を行って、表示部２３、記憶部２５等に信号を出力する。
【００４２】
上記携帯端末装置１の上記ＣＰＵ１６は、方位指示手段１６ａを有する。上記テーブルトップ装置２の上記ＣＰＵ２６は、特定資料検索手段２６ａ、資料方向変更手段２６ｂ、資料方向設定手段２６ｃ、および、資料方向変更不可手段２６ｄを有する。
【００４３】
上記方位指示手段１６ａは、指示信号を、上記端末ＩＤ１５２と共に、テーブルトップ装置２に送信する。この指示信号は、上記方位検出部１２により検出された携帯端末装置１の表示画面の向く方位に、テーブルトップ装置２の表示部２３に表示されている資料２５１の向きを合わせるように、テーブルトップ装置２に指示する信号である。
【００４４】
上記特定資料検索手段２６ａは、上記方位指示手段１６ａにより送信された上記指示信号を受信すると、指示信号と共に送信された端末ＩＤ１５２に基づいて、この端末ＩＤ１５２に対応した特定の資料１５１を、記憶部２５の資料テーブル２５２から検索する。
【００４５】
上記資料方向変更手段２６ｂは、上記特定資料検索手段２６ａにより検索され上記表示部２３に表示されている特定の資料１５１の向きを、上記指示信号に基づいて、携帯端末装置１の表示画面の向く方位に合わせる。
【００４６】
上記資料方向設定手段２６ｃは、上記記憶部２５に記憶され上記表示部２３に表示されている上記資料２５１の向きを変更不可と設定するためのものである。つまり、上記資料２５１のうちの選択した資料について、資料の向きを変更不可とできる。
【００４７】
上記資料方向変更不可手段２６ｄは、上記資料方向設定手段２６ｃにより変更不可と設定された上記資料について、上記指示信号を受信しても、この資料の向きを変更しない。
【００４８】
図２Ａ，２Ｂと図３Ａ，３Ｂは、上記卓上表示システムのフローを示す。図２Ａに示すように、使用者は、テーブルトップ装置２に表示させる資料を、携帯端末装置１に記憶されている資料１５１から選択する（ステップＳ１１）。すると、携帯端末装置１は、自身の端末ＩＤ１５２を読み出し（ステップＳ１２）、選択された資料１５１と端末ＩＤ１５２を送信部１１により、テーブルトップ装置２に送信する（ステップＳ１３）。
【００４９】
その後、図２Ｂに示すように、テーブルトップ装置２の受信部２１は、携帯端末装置１から送信された資料１５１および端末ＩＤ１５２を、受信する（ステップＳ２１）。そして、テーブルトップ装置２は、上記資料１５１および上記端末ＩＤ１５２を、記憶部２５の資料テーブル２５２に追加する（ステップＳ２２）。さらに、テーブルトップ装置２は、上記資料１５１を、表示部２３に表示する（ステップＳ２３）。
【００５０】
続いて、図３Ａに示すように、携帯端末装置１の方位検出部１２は、携帯端末装置１の表示画面の向く方位を検出し（ステップＳ３１）、この方位が変化すると（ステップＳ３２）、携帯端末装置１は、自身の端末ＩＤ１５２を読み出し（ステップＳ３３）、この方位と端末ＩＤ１５２を方位指示手段１６ａにより、テーブルトップ装置２に送信する（ステップＳ３４）。この送信される方位には、指示信号を含み、この指示信号は、表示画面の向く方位に、テーブルトップ装置２に表示されている資料の向きを合わせるように、テーブルトップ装置２に指示する信号である。
【００５１】
その後、図３Ｂに示すように、テーブルトップ装置２の受信部２１は、携帯端末装置１から送信された方位（指示信号）および端末ＩＤ１５２を、受信する（ステップＳ４１）。すると、特定資料検索手段２６ａは、端末ＩＤ１５２に基づいて、この端末ＩＤ１５２に対応した特定の資料１５１を、資料テーブル２５２から検索する（ステップＳ４２）。
【００５２】
そして、この特定の資料１５１が存在すると（ステップＳ４３）、テーブルトップ装置２は、この特定の資料１５１の回転フラグがオンか否かを判断する（ステップＳ４４）。回転フラグがオンの場合、資料１５１の向きが変更可能であり、回転フラグがオフの場合、資料１５１の向きが変更不可となる。回転フラグのオフの設定は、上記資料方向設定手段２６ｃにより設定される。
【００５３】
そして、回転フラグがオンであると、上記資料方向変更手段２６ｂは、特定の資料１５１の向きを、上記指示信号に基づいて、携帯端末装置１の表示画面の向く方位に合わせる（ステップＳ４５）。一方、回転フラグがオフであると、上記資料方向変更不可手段２６ｄは、上記指示信号を受信しても、特定の資料１５１の向きを変更しない。
【００５４】
上記構成の卓上表示システムによれば、図４Ａに示すように、Ａ者Ｕａは、テーブルトップ装置２に表示されている自己のＡ１資料Ｄａ１およびＡ２資料Ｄａ２を、Ｃ者Ｕｃに見てもらいたい場合、Ａ者Ｕａは、携帯端末装置１の画面１ａをＣ者Ｕｃに向ける。
【００５５】
すると、上記方位検出部１６ａ、上記特定資料検索手段２６ａおよび上記資料方向変更手段２６ｂの動作によって、テーブルトップ装置２上のＡ１資料Ｄａ１およびＡ２資料Ｄａ２を、Ｃ者Ｕｃから見やすい方向に変更できる。
【００５６】
続いて、Ａ者Ｕａは、Ｂ者Ｕｂに見てもらいたい場合、図４Ｂに示すように、携帯端末装置１の画面１ａをＢ者Ｕｂに向ける。テーブルトップ装置２上のＡ１資料Ｄａ１およびＡ２資料Ｄａ２を、Ｂ者Ｕｂから見やすい方向に変更できる。このように、直感的に操作することが可能になる。
【００５７】
図４Ａ，４Ｂにおいて、Ｂ資料Ｄｂは、Ｂ者Ｕｂの資料であり、Ｃ資料Ｄｃは、Ｃ者Ｕｃの資料である。そして、Ｂ者ＵｂとＣ者Ｕｃも、それぞれ、上記携帯端末装置１を有しているとすると、それぞれの携帯端末装置１を操作する場合、各携帯端末装置１のＩＤに基づいて、各携帯端末装置１の資料Ｄｂ、Ｄｃの向きを、各携帯端末装置１の方位に合わせることができる。このように、複数の使用者Ｕａ，Ｕｂ，Ｕｃは、それぞれ同時に、それぞれの資料Ｄａ１，Ｄａ２，Ｄｂ，Ｄｃの表示方向を変えることができる。
【００５８】
そして、使用者Ｕａ，Ｕｂ，Ｕｃは、上記テーブルトップ装置２に表示されている資料Ｄａ１，Ｄａ２，Ｄｂ，Ｄｃの向き変更したくない場合、携帯端末装置１を介して、または、テーブルトップ装置２に対して直接に、テーブルトップ装置２の資料方向設定手段２６ｃにより、資料の向きを変更不可と設定する。
【００５９】
例えば、Ｃ者ＵｃがＣ資料Ｄｃの向きを変更不可と設定すると、図５に示すように、テーブルトップ装置２は、資料テーブル２５２に、Ｃ資料の回転フラグを「×」と設定する。Ａ１資料、Ａ２資料およびＢ資料の向きは変更可能であるため、これらの回転フラグは「○」と設定されている。なお、図中の端末ＩＤの欄において、「Ａ」とは、Ａ者Ｕａの携帯端末装置１の端末ＩＤを示し、「Ｂ」とは、Ｂ者Ｕｂの携帯端末装置１の端末ＩＤを示し、「Ｃ」とは、Ｃ者Ｕｃの携帯端末装置１の端末ＩＤを示す。
【００６０】
これにより、上記資料方向変更不可手段２６ｄは、上記変更不可と設定されたＣ資料Ｄｃについて、上記指示信号を受信しても、このＣ資料Ｄｃの向きを変更しない。
【００６１】
なお、この発明は上述の実施形態に限定されない。例えば、上記実施形態では、携帯端末装置１の表示画面の方位を検出したが、携帯端末装置１の予め定められた設定面の方位を検出するようにしてもよい。
【００６２】
上記実施形態では、資料方向設定手段２６ｃおよび資料方向変更不可手段２６ｄを設けたが、これらを省略するようにしてもよい。
【００６３】
なお、本発明の卓上表示方法として、上記実施形態で説明した上記卓上表示システムの動作と同じであり、方位検出工程（つまり、方位検出部）と、方位指示工程（つまり、方位指示手段）と、特定資料検索工程（つまり、特定資料検索手段）と、資料方向変更工程（つまり、資料方向変更手段）とを備える。これにより、上記実施形態で説明した上記卓上表示システムの効果と同じ効果を奏する。
【００６４】
また、本発明の卓上表示プログラムとして、携帯端末装置１のコンピュータを、上記記憶部、上記送信部、上記方位検出部および上記方位指示手段として機能させ、テーブルトップ装置２のコンピュータを、上記受信部、上記記憶部、上記表示部、上記特定資料検索手段および上記資料方向変更手段として機能させるようにしてもよい。また、本発明のプログラム記録媒体として、上記卓上表示プログラムを記録するようにしてもよい。したがって、コンピュータに対して、複数の使用者が同時に資料の表示方向を変えることができるように、コンピュータに命令できる。
【符号の説明】
【００６５】
１  携帯端末装置
１１  送信部
１２  方位検出部
１５  記憶部
１５１  資料
１５２  端末ＩＤ
１６  ＣＰＵ
１６ａ  方位指示手段
２  テーブルトップ装置
２１  受信部
２３  表示部
２５  記憶部
２５１  資料
２５２  資料テーブル
２６  ＣＰＵ
２６ａ  特定資料検索手段
２６ｂ  資料方向変更手段
２６ｃ  資料方向設定手段
２６ｄ  資料方向変更不可手段
【図１】
2014075100.tif 000003
【図２Ａ】
2014075100.tif 000004
【図２Ｂ】
2014075100.tif 000005
【図３Ａ】
2014075100.tif 000006
【図３Ｂ】
2014075100.tif 000007
【図４Ａ】
2014075100.tif 000008
【図４Ｂ】
2014075100.tif 000009
【図５】
2014075100.tif 000010